【手続補正書】
【提出日】平成30年1月22日(2018.1.22)
【手続補正１】
【補正対象書類名】特許請求の範囲
【補正対象項目名】全文
【補正方法】変更
【補正の内容】
【特許請求の範囲】
【請求項１】
第１の事業者の第１の基地局によって、少なくとも１つの第２の事業者の第２の基地局のクリアチャネルアセスメント（ＣＣＡ）免除送信（ＣＥＴ）タイミング情報を監視することと、ここにおいて、前記少なくとも１つの第２の事業者の前記第２の基地局の送信が、前記第１の事業者の前記第１の基地局の送信と非同期である、
前記監視することに少なくとも部分的に基づいて、前記少なくとも１つの第２の事業者の前記第２の基地局のＣＥＴの送信タイミングを識別することと、および
前記少なくとも１つの第２の事業者の前記第２の基地局の前記ＣＥＴの前記送信タイミング中に、前記第１の事業者の前記第１の基地局の前記送信を中断することと
を備える、ワイヤレス通信のための方法。
【請求項２】
前記監視することが、
前記少なくとも１つの第２の事業者の前記第２の基地局から直接、前記少なくとも１つの第２の事業者の前記第２の基地局のための前記ＣＥＴタイミング情報を検出することを備える、請求項１に記載の方法。
【請求項３】
前記監視することが、
前記少なくとも１つの第２の事業者の前記第２の基地局のＣＥＴの送信を検出するために、複数の時間間隔の各々の少なくとも１つの時間サブ間隔中に、前記第１の事業者の前記第１の基地局のデータ送信を中止することを備える、請求項２に記載の方法。
【請求項４】
前記少なくとも１つの時間サブ間隔が、前記複数の時間間隔のうちの第１の時間間隔から前記複数の時間間隔のうちの第２の時間間隔に変化する、請求項３に記載の方法。
【請求項５】
前記監視することが、前記第１の事業者の前記第１の基地局の第１のセル中にあるモバイルデバイスから報告を受信することを備え、
前記識別することが、前記モバイルデバイスからの前記報告に少なくとも部分的に基づいて、前記少なくとも１つの第２の事業者の前記第２の基地局の前記ＣＥＴの前記送信タイミングを識別することを備える、請求項１に記載の方法。
【請求項６】
前記モバイルデバイスからの前記報告が、
前記第１の事業者の前記第１の基地局と前記少なくとも１つの第２の事業者の前記第２の基地局との間のタイミング差を備え、ここにおいて、前記モバイルデバイスが、前記第１の事業者の前記第１の基地局によってサービスされる、請求項５に記載の方法。
【請求項７】
前記モバイルデバイスからの前記報告が、
基準ＣＥＴタイミングと前記少なくとも１つの第２の事業者の前記第２の基地局の前記ＣＥＴの前記送信タイミングとの間のタイミング差を備える、請求項５に記載の方法。
【請求項８】
第１の事業者の第１の基地局によって、少なくとも１つの第２の事業者の第２の基地局のクリアチャネルアセスメント（ＣＣＡ）免除送信（ＣＥＴ）タイミング情報を監視するための手段と、ここにおいて、前記少なくとも１つの第２の事業者の前記第２の基地局の送信が、前記第１の事業者の前記第１の基地局の送信と非同期である、
前記監視することに少なくとも部分的に基づいて、前記少なくとも１つの第２の事業者の前記第２の基地局のＣＥＴの送信タイミングを識別するための手段と、および
前記少なくとも１つの第２の事業者の前記第２の基地局の前記ＣＥＴの前記送信タイミング中に、前記第１の事業者の前記第１の基地局の前記送信を中断するための手段と
を備える、ワイヤレス通信のための装置。
【請求項９】
監視するための前記手段が、
前記少なくとも１つの第２の事業者の前記第２の基地局から直接、前記少なくとも１つの第２の事業者の前記第２の基地局のための前記ＣＥＴタイミング情報を検出するための手段を備える、請求項８に記載の装置。
【請求項１０】
監視するための前記手段が、
前記少なくとも１つの第２の事業者の前記第２の基地局のＣＥＴの送信を検出するために、複数の時間間隔の各々の少なくとも１つの時間サブ間隔中に、前記第１の事業者の前記第１の基地局のデータ送信を中止するための手段を備える、請求項９に記載の装置。
【請求項１１】
前記少なくとも１つの時間サブ間隔が、前記複数の時間間隔のうちの第１の時間間隔から前記複数の時間間隔のうちの第２の時間間隔に変化する、請求項１０に記載の装置。
【請求項１２】
監視するための前記手段が、前記第１の事業者の前記第１の基地局の第１のセル中にあるモバイルデバイスから報告を受信するための手段を備え、および
識別するための前記手段が、前記モバイルデバイスからの前記報告に少なくとも部分的に基づいて、前記少なくとも１つの第２の事業者の前記第２の基地局の前記ＣＥＴの前記送信タイミングを識別するための手段を備える、請求項８に記載の装置。
【請求項１３】
前記モバイルデバイスからの前記報告が、
前記第１の事業者の前記第１の基地局と前記少なくとも１つの第２の事業者の前記第２の基地局との間のタイミング差を備え、ここにおいて、前記モバイルデバイスが、前記第１の事業者の前記第１の基地局によってサービスされる、請求項１２に記載の装置。
【請求項１４】
前記モバイルデバイスからの前記報告が、
基準ＣＥＴタイミングと前記少なくとも１つの第２の事業者の前記第２の基地局の前記ＣＥＴの前記送信タイミングとの間のタイミング差を備える、請求項１２に記載の装置。
【請求項１５】
コンピュータ上で実行されるとき、請求項１乃至７のいずれか一項に記載の方法の全てのステップを行うための命令を備える、コンピュータプログラム。
【手続補正２】
【補正対象書類名】明細書
【補正対象項目名】０１５２
【補正方法】変更
【補正の内容】
【０１５２】
[0164]本開示の上述の説明は、当業者が本開示を作成または使用することができるように与えられる。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明した例および設計に限定されるべきでなく、本明細書で開示する原理および新規の特徴に合致する最も広い範囲を与えられるべきである。
以下に本願の出願当初の特許請求の範囲に記載された発明を付記する。
［Ｃ１］
第１の事業者の第１の基地局によって、少なくとも１つの第２の事業者の第２の基地局のクリアチャネルアセスメント（ＣＣＡ）免除送信（ＣＥＴ）タイミング情報を監視することと、ここにおいて、前記少なくとも１つの第２の事業者の前記第２の基地局の送信が、前記第１の事業者の前記第１の基地局の送信と非同期である、
前記監視することに少なくとも部分的に基づいて、前記少なくとも１つの第２の事業者の前記第２の基地局のＣＥＴの送信タイミングを識別することと、および
前記少なくとも１つの第２の事業者の前記第２の基地局の前記ＣＥＴの前記送信タイミング中に、前記第１の事業者の前記第１の基地局の前記送信を中断することと
を備える、ワイヤレス通信のための方法。
［Ｃ２］
前記監視することが、
前記少なくとも１つの第２の事業者の前記第２の基地局から直接、前記少なくとも１つの第２の事業者の前記第２の基地局のための前記ＣＥＴタイミング情報を検出することを備える、Ｃ１に記載の方法。
［Ｃ３］
前記監視することが、
前記少なくとも１つの第２の事業者の前記第２の基地局のＣＥＴの送信を検出するために、複数の時間間隔の各々の少なくとも１つの時間サブ間隔中に、前記第１の事業者の前記第１の基地局のデータ送信を中止することを備える、Ｃ２に記載の方法。
［Ｃ４］
前記少なくとも１つの時間サブ間隔が、前記複数の時間間隔のうちの第１の時間間隔から前記複数の時間間隔のうちの第２の時間間隔に変化する、Ｃ３に記載の方法。
［Ｃ５］
前記監視することが、前記第１の事業者の前記第１の基地局の第１のセル中にあるモバイルデバイスから報告を受信することを備え、
前記識別することが、前記モバイルデバイスからの前記報告に少なくとも部分的に基づいて、前記少なくとも１つの第２の事業者の前記第２の基地局の前記ＣＥＴの前記送信タイミングを識別することを備える、Ｃ１に記載の方法。
［Ｃ６］
前記モバイルデバイスからの前記報告が、
前記第１の事業者の前記第１の基地局と前記少なくとも１つの第２の事業者の前記第２の基地局との間のタイミング差を備え、ここにおいて、前記モバイルデバイスが、前記第１の事業者の前記第１の基地局によってサービスされる、Ｃ５に記載の方法。
［Ｃ７］
前記モバイルデバイスからの前記報告が、
基準ＣＥＴタイミングと前記少なくとも１つの第２の事業者の前記第２の基地局の前記ＣＥＴの前記送信タイミングとの間のタイミング差を備える、Ｃ５に記載の方法。
［Ｃ８］
前記モバイルデバイスからの前記報告が、
前記少なくとも１つの第２の事業者のパブリックランドモバイルネットワーク（ＰＬＭＮ）識別子を備え、前記モバイルデバイスが、前記第１の事業者のＰＬＭＮのメンバーである、Ｃ５に記載の方法。
［Ｃ９］
前記第１の事業者の前記第１の基地局によって、前記第１の基地局のＣＥＴを送信することをさらに備え、前記第１の事業者の前記第１の基地局の前記ＣＥＴが、前記第１の事業者の前記第１の基地局のためのシステム構成情報を備える、Ｃ１に記載の方法。
［Ｃ１０］
前記第１の事業者の前記第１の基地局のための前記システム構成情報が、
リッスンビフォアトーク（ＬＢＴ）フレームの構成に関する情報を備える、Ｃ９に記載の方法。
［Ｃ１１］
前記ＬＢＴフレームの前記構成に関する前記情報が、前記ＬＢＴフレームの持続時間を２ミリ秒または５ミリ秒として示す、Ｃ１０に記載の方法。
［Ｃ１２］
リッスンビフォアトーク（ＬＢＴ）フレームのいくつかの直交周波数分割多重（ＯＦＤＭ）シンボル中にダウンリンクＣＣＡを実行することをさらに備え、ここにおいて、前記いくつかのＯＦＤＭシンボルが、前記ＬＢＴフレームの第１のサブフレームの始まりにおいて起こる、Ｃ１に記載の方法。
［Ｃ１３］
前記第１の事業者の前記第１の基地局の前記送信を前記中断することが、
補足ダウンリンク（ＳＤＬ）動作モードをサポートする無認可無線周波数スペクトル帯域を使用するセルの送信を中断することを備える、Ｃ１に記載の方法。
［Ｃ１４］
第１の事業者の第１の基地局によって、少なくとも１つの第２の事業者の第２の基地局のクリアチャネルアセスメント（ＣＣＡ）免除送信（ＣＥＴ）タイミング情報を監視するための手段と、ここにおいて、前記少なくとも１つの第２の事業者の前記第２の基地局の送信が、前記第１の事業者の前記第１の基地局の送信と非同期である、
前記監視することに少なくとも部分的に基づいて、前記少なくとも１つの第２の事業者の前記第２の基地局のＣＥＴの送信タイミングを識別するための手段と、および
前記少なくとも１つの第２の事業者の前記第２の基地局の前記ＣＥＴの前記送信タイミング中に、前記第１の事業者の前記第１の基地局の前記送信を中断するための手段と
を備える、ワイヤレス通信のための装置。
［Ｃ１５］
監視するための前記手段が、
前記少なくとも１つの第２の事業者の前記第２の基地局から直接、前記少なくとも１つの第２の事業者の前記第２の基地局のための前記ＣＥＴタイミング情報を検出するための手段を備える、Ｃ１４に記載の装置。
［Ｃ１６］
監視するための前記手段が、
前記少なくとも１つの第２の事業者の前記第２の基地局のＣＥＴの送信を検出するために、複数の時間間隔の各々の少なくとも１つの時間サブ間隔中に、前記第１の事業者の前記第１の基地局のデータ送信を中止するための手段を備える、Ｃ１５に記載の装置。
［Ｃ１７］
前記少なくとも１つの時間サブ間隔が、前記複数の時間間隔のうちの第１の時間間隔から前記複数の時間間隔のうちの第２の時間間隔に変化する、Ｃ１６に記載の装置。
［Ｃ１８］
監視するための前記手段が、前記第１の事業者の前記第１の基地局の第１のセル中にあるモバイルデバイスから報告を受信するための手段を備え、および
識別するための前記手段が、前記モバイルデバイスからの前記報告に少なくとも部分的に基づいて、前記少なくとも１つの第２の事業者の前記第２の基地局の前記ＣＥＴの前記送信タイミングを識別するための手段を備える、Ｃ１４に記載の装置。
［Ｃ１９］
前記モバイルデバイスからの前記報告が、
前記第１の事業者の前記第１の基地局と前記少なくとも１つの第２の事業者の前記第２の基地局との間のタイミング差を備え、ここにおいて、前記モバイルデバイスが、前記第１の事業者の前記第１の基地局によってサービスされる、Ｃ１８に記載の装置。
［Ｃ２０］
前記モバイルデバイスからの前記報告が、
基準ＣＥＴタイミングと前記少なくとも１つの第２の事業者の前記第２の基地局の前記ＣＥＴの前記送信タイミングとの間のタイミング差を備える、Ｃ１８に記載の装置。
［Ｃ２１］
前記モバイルデバイスからの前記報告が、
前記少なくとも１つの第２の事業者のパブリックランドモバイルネットワーク（ＰＬＭＮ）識別子を備え、前記モバイルデバイスが、前記第１の事業者のＰＬＭＮのメンバーである、Ｃ１８に記載の装置。
［Ｃ２２］
前記第１の事業者の前記第１の基地局によって、前記第１の基地局のＣＥＴを送信するための手段をさらに備え、前記第１の事業者の前記第１の基地局の前記ＣＥＴが、前記第１の事業者の前記第１の基地局のためのシステム構成情報を備える、Ｃ１４に記載の装置。
［Ｃ２３］
前記第１の事業者の前記第１の基地局のための前記システム構成情報が、
リッスンビフォアトーク（ＬＢＴ）フレームの構成に関する情報を備える、Ｃ２２に記載の装置。
［Ｃ２４］
プロセッサと、
前記プロセッサと電子通信しているメモリと、および
前記メモリに記憶された命令と
を備え、前記命令は、
第１の事業者の第１の基地局によって、少なくとも１つの第２の事業者の第２の基地局のクリアチャネルアセスメント（ＣＣＡ）免除送信（ＣＥＴ）タイミング情報を監視することと、ここにおいて、前記少なくとも１つの第２の事業者の前記第２の基地局の送信が、前記第１の事業者の前記第１の基地局の送信と非同期である、
前記監視することに少なくとも部分的に基づいて、前記少なくとも１つの第２の事業者の前記第２の基地局のＣＥＴの送信タイミングを識別することと、および
前記少なくとも１つの第２の事業者の前記第２の基地局の前記ＣＥＴの前記送信タイミング中に、前記第１の事業者の前記第１の基地局の前記送信を中断することと
を行うために前記プロセッサによって実行可能である、ワイヤレス通信のための装置。
［Ｃ２５］
監視するために前記プロセッサによって実行可能な前記命令が、
前記少なくとも１つの第２の事業者の前記第２の基地局から直接、前記少なくとも１つの第２の事業者の前記第２の基地局のための前記ＣＥＴタイミング情報を検出するために前記プロセッサによって実行可能な命令を備える、Ｃ２４に記載の装置。
［Ｃ２６］
監視するために前記プロセッサによって実行可能な前記命令が、
前記少なくとも１つの第２の事業者の前記第２の基地局のＣＥＴの送信を検出するために、複数の時間間隔の各々の少なくとも１つの時間サブ間隔中に、前記第１の事業者の前記第１の基地局のデータ送信を中止するために前記プロセッサによって実行可能な命令を備える、Ｃ２５に記載の装置。
［Ｃ２７］
前記少なくとも１つの時間サブ間隔が、前記複数の時間間隔のうちの第１の時間間隔から前記複数の時間間隔のうちの第２の時間間隔に変化する、Ｃ２６に記載の装置。
［Ｃ２８］
監視するために前記プロセッサによって実行可能な前記命令が、前記第１の事業者の前記第１の基地局の第１のセル中にあるモバイルデバイスから報告を受信するために前記プロセッサによって実行可能な命令を備え、
識別するために前記プロセッサによって実行可能な前記命令が、前記モバイルデバイスからの前記報告に少なくとも部分的に基づいて、前記少なくとも１つの第２の事業者の前記第２の基地局の前記ＣＥＴの前記送信タイミングを識別するために前記プロセッサによって実行可能な命令を備える、Ｃ２４に記載の装置。
［Ｃ２９］
ワイヤレス通信のためのコンピュータ実行可能コードを記憶する非一時的コンピュータ可読媒体であって、前記コードは、
第１の事業者の第１の基地局によって、少なくとも１つの第２の事業者の第２の基地局のクリアチャネルアセスメント（ＣＣＡ）免除送信（ＣＥＴ）タイミング情報を監視することと、ここにおいて、前記少なくとも１つの第２の事業者の前記第２の基地局の送信が、前記第１の事業者の前記第１の基地局の送信と非同期である、
前記監視することに少なくとも部分的に基づいて、前記少なくとも１つの第２の事業者の前記第２の基地局のＣＥＴの送信タイミングを識別することと、
前記少なくとも１つの第２の事業者の前記第２の基地局の前記ＣＥＴの前記送信タイミング中に、前記第１の事業者の前記第１の基地局の前記送信を中断することと
を行うために少なくとも１つのプロセッサによって実行可能である、非一時的コンピュータ可読媒体。
［Ｃ３０］
前記コードが、
前記少なくとも１つの第２の事業者の前記第２の基地局から直接、前記少なくとも１つの第２の事業者の前記第２の基地局のための前記ＣＥＴタイミング情報を検出するために前記少なくとも１つのプロセッサによって実行可能である、Ｃ２９に記載のコンピュータ可読媒体。